(57)【要約】衣服（１）、特にスポーツ用衣服に関し、衣服（１）は、これの着用者の身体の一部を覆う基体（２）を備える。良好な断熱特性を有すると共に、特にスポーツに適した一般的なタイプの衣服を提供するために、本発明は、基体（２）が少なくとも二層の配置として少なくとも部分的にデザインされることを提案し、その場合、内側層（３）は、着用者の身体に面し、且つ外側層（４）は、衣服（１）の外側の境界を定め、２つの層（３，４）は、充填材料（６）で充填される袋部（５）を形成し、且つ充填材料（６）は、袋部（５）の中でバラバラに配置される、少なくとも部分的にはプラスチック粒子である。【選択図】図２
2020523494.tif 000002
【特許請求の範囲】
【請求項１】
衣服（１）、特にスポーツ用衣服であって、衣服（１）は、これの着用者の身体の一部を覆う基体（２）を備える、衣服（１）において、
前記基体（２）は、少なくとも二層の配置として少なくとも部分的にデザインされ、その場合、内側層（３）は、前記着用者の前記身体に面し、且つ外側層（４）は、前記衣服（１）の外側の境界を定め、
前記２つの層（３，４）は、充填材料（６）で充填される袋部（５）を形成し、
前記充填材料（６）は、前記袋部（５）の中でバラバラに配置される、少なくとも部分的にはプラスチック粒子である
ことを特徴とする衣服。
【請求項２】
前記プラスチック粒子は、膨張性（発泡性）プラスチック材料から成る
請求項１に記載の衣服。
【請求項３】
前記プラスチック粒子は、ポリプロピレン、ポリスチレン、熱可塑性ポリオレフィン、熱可塑性ポリウレタン、熱可塑性エラストマー、及び熱可塑性ポリアミドのグループの１つ以上から成る
請求項１または２に記載の衣服。
【請求項４】
３つの空間的方向における前記プラスチック粒子の延在部分は、１ｍｍと５ｍｍとの間にある
請求項１ないし３のいずれかに記載の衣服。
【請求項５】
前記プラスチック粒子の形状は、球状又は楕円体状である
請求項１ないし４のいずれかに記載の衣服。
【請求項６】
前記プラスチック粒子は、中空体として形作られる
請求項１ないし５のいずれかに記載の衣服。
【請求項７】
前記袋部（５）は、薄層状のデザインを有する
請求項１ないし６のいずれかに記載の衣服。
【請求項８】
前記袋部（５）の長さ（L）は、５０ｍｍと２５０ｍｍとの間にある
請求項７に記載の衣服。
【請求項９】
前記袋部（５）の幅（Ｗ）は、１０ｍｍと５０ｍｍとの間にある
請求項７または８に記載の衣服。
【請求項１０】
前記衣服（１）の外側で垂直な方向における前記袋部の最大厚さ（Ｔ）は、５ｍｍと３０ｍｍとの間にある
請求項７ないし９のいずれかに記載の衣服。
【請求項１１】
複数の袋部（５）が互いに平行に配置される
請求項７ないし１０のいずれかに記載の衣服。
【請求項１２】
前記袋部（５）は互いに隣接して配置される
請求項１１に記載の衣服。
【請求項１３】
前記衣服が地面に真直ぐに立つ着用者によって着用される場合、前記袋部（５）の長手方向の延在部分（Ｅ）が、実質的に水平方向に延在するか、又は前記水平方向に対して１５°未満の角度で延在するというふうに、前記衣服において前記袋部（５）が配置される
請求項７ないし１２のいずれかに記載の衣服。
【請求項１４】
前記基体（２）は織物の基体である
請求項１ないし１３のいずれかに記載の衣服。
【請求項１５】
前記外側層（４）は、透明材料から作られる
請求項１ないし１４のいずれかに記載の衣服。
【請求項１６】
前記袋部は、前記２つの層（３，４）を縫うことによって、編むことによって、又は織ることによって作られる
請求項１ないし１５のいずれかに記載の衣服。
【請求項１７】
前記袋部は、前記２つの層（３，４）の接合プロセス、具体的には熱接合プロセス、超音波接合プロセス、又は接着剤プロセスを実行することによって作られる
請求項１ないし１５のいずれかに記載の衣服。
【請求項１８】
前記袋部は、もっぱらプラスチック粒子によって充填される
請求項１ないし１７のいずれかに記載の衣服。
【請求項１９】
前記袋部は、プラスチック粒子及び詰め物材料で、特に不織合成詰め物材料で充填される
請求項１ないし１７のいずれかに記載の衣服。
【請求項２０】
前記衣服はベストであり、且つ、前記衣服が着用者によって着用される場合、少なくとも５つの隣接する袋部（５）のグループ、好ましくは少なくとも８つの隣接する袋部（５）のグループが、前記着用者の胃部及び／又は胸部の領域に配置され、その場合、前記袋部（５）は、上下に配置される
請求項７ないし１９のいずれかに記載の衣服。
【請求項２１】
少なくとも２つのグループの袋部（５）、好ましくは４つのグループの袋部（５）が配置され、これらのグループの袋部（５）は、前記衣服が着用者によって着用される場合、鉛直線によって分離される
請求項２０に記載の衣服。
【請求項２２】
前記衣服はベストであり、且つ、少なくとも３つの隣接した袋部（５）の２つのグループは、左上方胸部領域及び右上方胸部領域に配置され、その場合、前記衣服（１）が地面に真直ぐに立つ着用者によって着用される場合、前記袋部（５）の長手方向の延在部分（Ｅ）は、前記水平方向に対して１５°と４５°との間の角度で延在する
請求項７ないし２１のいずれかに記載の衣服。
【請求項２３】
前記衣服はベストであり、且つ、前記衣服は襟部（７）を有し、その場合、少なくとも１つの、好ましくは２つの隣接した袋部（５）が配置され、これらの袋部（５）は前記襟部（７）の周りに円周方向にのびる
請求項７ないし２２のいずれかに記載の衣服。
【請求項２４】
前記衣服はベストであり、且つ、前記衣服の裏側には袋部（５）が無い
請求項１ないし２３のいずれかに記載の衣服。
【発明の詳細な説明】
【技術分野】
【０００１】
本発明は衣服、特にスポーツ用衣服に関し、該衣服は、これの着用者の身体の一部を覆う基体を備える。
【背景技術】
【０００２】
上記の種類の衣服は、当技術分野においてよく知られている。１つの重要な側面は、衣服の着用者の身体の断熱性が当然与えられていることである。特にスポーツ用衣服の場合、衣服の吸水性は、重要な側面である。また、衣服は、汗との接触による臭いに関して強い抵抗力がある、というふうにデザインされなければならない。
【発明の概要】
【発明が解決しようとする課題】
【０００３】
本発明の目的は、上記の種類の衣服を提案することであり、ここで該衣服は、良好な断熱特性を提供すると共に、特にスポーツに適するものである。該衣服は、洗濯によって清潔に保つことが容易である必要があると共に、臭いに対して強い抵抗力を示す必要がある。
【課題を解決するための手段】
【０００４】
本発明によれば、この目的の解決策は、基体が、少なくとも二層の配置として少なくとも部分的にデザインされるということによって特徴付けられ、その場合、内側層は着用者の身体に面し、且つ外側層は衣服の外側の境界を定めており、２つの層は、充填材料で充填される袋部を形成し、且つ該充填材料は、袋部の中でバラバラに配置される、少なくとも部分的にはプラスチック粒子である。
【０００５】
プラスチック粒子は、好ましくは膨張性（発泡性）プラスチック材料から成る。プラスチック粒子は、ポリプロピレン、ポリスチレン、熱可塑性ポリオレフィン、熱可塑性ポリウレタン、熱可塑性エラストマー、及び熱可塑性ポリアミドのグループの１つ以上から成ることが可能である。
【０００６】
３つの空間的方向におけるプラスチック粒子の延在部分は、好ましくは１ｍｍと５ｍｍとの間にある。プラスチック粒子の形状は、好ましくは球状又は楕円体状であるが、他の形状もまた可能である。プラスチック粒子は、中空体として形作ることが可能である。
【０００７】
袋部は、好ましくは薄層状の（細片状の）デザインを有する。それによって、袋部の長さは、好ましくは５０ｍｍと２５０ｍｍとの間にある。袋部の幅は、好ましくは１０ｍｍと５０ｍｍとの間にある。衣服の外側で垂直な方向における袋部の最大の厚さは、好ましくは５ｍｍと３０ｍｍとの間にある。
【０００８】
本発明の好ましい実施形態によれば、複数の袋部が、互いに平行に配置される。この場合、袋部は、好ましくは互いに隣接して配置される。
【０００９】
衣服が地面に真直ぐに立つ着用者によって着用される場合、袋部の長手方向の延在部分は、実質的には水平方向に延在する、又は水平方向に対して１５°未満の角度で延在するというふうに、衣服において袋部を配置することが可能である。
【００１０】
基体は、好ましくは織物の基体である。
【００１１】
好ましくは、袋部の境界を定める外側層は透明であり、その結果として、プラスチック粒子は目に見える。
【００１２】
袋部は、２つの層を縫うことによって、編むことによって、又は織ることによって作ることが可能である。別の可能性は、２つの層の接合プロセス、具体的には熱接合プロセス、超音波接合プロセス、又は接着剤プロセスを実行することによって、袋部が作られるというものである。
【００１３】
袋部は、もっぱらプラスチック材料によってのみ充填されるのが好ましい。代替的な実施形態では、プラスチック粒子及び詰め物材料で、特に不織合成詰め物材料で、袋部が充填されることが提案される。
【００１４】
本発明の特別な実施形態によれば、衣服はベストであり、且つ、衣服が着用者によって着用される場合、少なくとも５つの隣接した袋部が、好ましくは少なくとも８つの隣接した袋部が、着用者の胃部（腹部）領域及び／又は胸部領域に配置されるが、その場合、袋部は上下に配置されている。この場合、好ましくは次のことが提供される。それは、少なくとも２つのグループの袋部、好ましくは４つのグループの袋部が配置され、これらのグループの袋部は、衣服が着用者によって着用される場合、鉛直線によって分離される、というものである。
【００１５】
更に、衣服はベストであり得、且つ、少なくとも３つの隣接する袋部の２つのグループが、左上方胸部領域及び右上方胸部領域に配置され、その場合、衣服が地面に真直ぐに立つ着用者によって着用される場合、袋部の長手方向の延在部分は、水平方向に対して１５°と４５°との間の角度に延在する。
【００１６】
特定の実施形態では、衣服はベストであり、且つ衣服は襟部を有するということが提供され、その場合、少なくとも１つの袋部、好ましくは２つの隣接した袋部が配置され、それらの袋部は、襟部の周りに円周方向にのびる。
【００１７】
好ましくは、衣服はベストであり、且つ衣服の裏側には袋部が無い。衣服の裏側に袋部が配置されることも、もちろん可能である。ベストなどの場合、それの腎臓部領域に、例えば断熱性の袋部を配置することが可能である。
【００１８】
また、言及されるべきことであるが、提案された解決策を、着用者の胴体を覆う衣服（腕の袖の有無にかかわらず）及びパンツ又はズボンなどの、種々の衣服に有利に使用することが可能である。
【００１９】
提案された衣服の中心的特徴の幾つかと、該衣服が言うことができる幾つかの付加的特徴を要約すると、以下ようになる。
【００２０】
衣服は、袋部の形に作成され、上記衣服上に配列され、且つ分布された二層の織物材料で（部分的にまたは完全に）構成される。上記袋部は、発泡性（膨張性）プラスチック粒子でバラバラに充填される。粒子は、目に見えることが好ましい。
【００２１】
好ましくは発泡性の（膨張性の）プラスチック粒子のための好ましい材料は、上で述べた通りである。
【００２２】
袋部は、（衣服が地面に真直ぐに立つ着用者によって着用される場合）、斜めの形勢までずっと、主として水平にあるであろう（過度の傾斜は、全てのプラスチック粒子を１つの領域に堆積させるであろう）。
【００２３】
プラスチック粒子は、袋部の中でバラバラに配置される。即ち、粒子は、互いに付着しない、又は接着されない。それ故に粒子は、袋部の中で自由に動くことができる。
【００２４】
プラスチック粒子は、袋部を作成するのに使用される殻材料（外側層）の好ましい半透明の性質のために、目に見えることが好ましい。したがって、殻材料は、半透明であることが好ましい。
【００２５】
プラスチック粒子は、透明、色合い、仕上げを含む種々の色において、袋部の中に配置することが可能である。プラスチック粒子は、種々の色のものが可能であり、且つ、袋部の中に充填する前に、前もって混合することが可能である。また、プラスチック粒子は、淡色に保つことが可能である。
【００２６】
プラスチック粒子の形状は、球状又は楕円体状であることが好ましい。別の可能な形状は、四角いものである。
【００２７】
プラスチック粒子は、純粋に袋部内で使用されるのが好ましいのに対して、手触りと断熱性を強化するために、種々の百分率で、プラスチック粒子を他の不織合成詰め物と混合することも可能である。
【００２８】
保温性を最適化するために、且つ、それ故に、着用者に熱的恩恵を提供するために、袋部を衣服に分布させることが可能である。袋部の分布は、既知である人体の熱マッピングに基づいており、且つ、衣服デザインを助けるであろう。
【００２９】
重要な恩恵として、提案されたプラスチック粒子は、（多くの）水を吸収せず、それ故に、洗濯した場合、綿毛と比較して、その後の形状に対する問題が無い。
【００３０】
また、プラスチック粒子は、臭いを吸収せず、且つ、それ故に、断熱性の衣服のための利点もある。
【００３１】
更なる恩恵として、プラスチック粒子は、綿毛とは違って、圧縮後に自身の形状を保つ。
【００３２】
更に、プラスチック粒子は、水又は汗を吸収しない。それ故に、プラスチック粒子は、乾くのがより早く、且つ、より高い度合いの持続可能性を有する。
【００３３】
最後に、プラスチック粒子は、同じ寸法の袋部の中の純粋な綿毛又は純粋なポリエステル詰め物と比較して、より高い断熱性に役立つ。
【００３４】
袋部にプラスチック粒子を充填することについては、帯電防止漏斗を装備できる半自動の綿毛充填機を使用することが可能である。
【００３５】
図面には、本発明の実施形態が示される。
【図面の簡単な説明】
【００３６】
【図１】ベストである一着の衣服を示す説明図
【図２】図１に従う断面Ａ−Ａを示す説明図
【発明を実施するための形態】
【００３７】
図１には、本事例においてベストである一着の衣服１が示されている。衣服１は、基本的に、着用者の身体の胴体を覆う織物の基体２を有する。衣服１の背面側（図示せず）は、上述の基体２だけから成るのに対して、複数の袋部５が、(図１で分かるように）衣服１の前面側に配置され、且つ、具体的には着用者の胃部／腹部領域及び胸部領域に沿って配置される（場所は、衣服１が意図された使用における場合の、位置を指している）。
【００３８】
袋部５のデザインは、図２に従う断面から明らかになる。基本的に、衣服１の前面に配置された全ての袋部５は、図２に示されたようなデザインを有する。
【００３９】
したがって、衣服１は、袋部５が配置されるそれらの領域において、内側層３及び外側層４を備える。付加的な特徴が図２から分かるように、その２つの層３及び層４を支持する付加的な支持層８を、好みに応じて設けることが可能である。
【００４０】
基本的に、２つの層３及び層４は、２つの場所で互いに接続されるが、それらの場所は、図２から分かるように、袋部５の幅Ｗによって画定される。袋部５は、図１から分かるように、実質的には薄層状の（細片状の）形状を有する。袋部の長さは、Ｌで表される。更に、図２から、袋部５が厚さＴを有することが分かる。衣服１の外側表面に垂直な方向において見られる袋部５の薄層状の形状のために、袋部５は、図１に表されるように、長手方向の延在部分Ｅを有する。
【００４１】
本実施形態において、袋部５は、充填材料６を形成するプラスチック粒子で充填される。
【００４２】
好ましくは、プラスチック粒子は、球形状又は楕円体形状を有し、且つ、図２から分かるように、２つの層３及び層４によって画定される小室を充填する。
【００４３】
図１から分かることであるが、着用者の胃部／腹部領域及び胸部領域において、衣服の意図された使用の間に見られるように、４つのグループ（即ちグループＩ、グループＩＩ、グループＩＩＩ、グループＩＶ）の袋部５が配置される。
【００４４】
各グループは複数の袋部５から成り、これら複数の袋部５は、鉛直方向Ｖに上下に配置される（ここで鉛直方向Ｖは、意図された使用の間に、衣服が着用者によって着用される場合、且つ着用者が地面に真直ぐに立つ場合の、方向に関連する）。
【００４５】
単一の袋部５は、長手方向の延在部分Ｅが、実質的には水平方向に向けられる、というふうに配置される。
【００４６】
グループＩは、単一の袋部５の境界を定める鉛直線ＬＶ１によって、グループＩＩＩから分割される。グループＩＩは、同様に単一の袋部５の境界を定める鉛直線ＬＶ２によって、グループＩＶから分割される。
【００４７】
上方胸部領域には、更なるグループの袋部５が配置され、その場合、今度は袋部５の長手方向の延在部分Ｅは、水平方向に対して約２０°の角度で配置される。
【００４８】
最後に、衣服１の上方端部に襟部７が配置され、襟部７にもまた、これの周りで円周方向にのびる袋部５を供給することが可能である。
【００４９】
提案されたデザインによって、衣服１は、良好な断熱特性を有し、且つ、使用されるプラスチック粒子が袋部５の充填材料であるため、臭いに関して感度が高くない。
【符号の説明】
【００５０】
１      衣服（スポーツ用衣服）
２      基体
３      内側層
４      外側層
５      袋部
６      充填材料
７      襟部
８      支持層
Ｌ      袋部の長さ
Ｗ      袋部の幅
Ｔ      袋部の厚さ
Ｅ      袋部の長手方向の延在部分
Ｖ      鉛直方向
ＬＶ１  鉛直線
ＬＶ２  鉛直線
Ｉ      袋部のグループ
ＩＩ    袋部のグループ
ＩＩＩ  袋部のグループ
ＩＶ    袋部のグループ
【図１】
2020523494.tif 000003
【図２】
2020523494.tif 000004
【手続補正書】
【提出日】令和1年7月29日(2019.7.29)
【手続補正１】
【補正対象書類名】明細書
【補正対象項目名】全文
【補正方法】変更
【補正の内容】
【発明の詳細な説明】
【技術分野】
【０００１】
本発明は衣服、特にスポーツ用衣服に関し、該衣服は、これの着用者の身体の一部を覆う基体を備え、その場合、基体は、少なくとも二層の配置として少なくとも部分的にデザインされ、内側層は、着用者の身体に面し、且つ外側層は、衣服の外側の境界を定めており、２つの層は、充填材料で充填される袋部を形成し、且つ該充填材料は、袋部の中でバラバラに配置される、少なくとも部分的にはプラスチック粒子である。
【背景技術】
【０００２】
そのような一着の衣服は、特許文献１及び特許文献２に開示されている。１つの重要な側面は、衣服の着用者の身体の断熱性が当然与えられていることである。特にスポーツ用衣服の場合、衣服の吸水性は、重要な側面である。また、衣服は、汗との接触による臭いに関して強い抵抗力がある、というふうにデザインされなければならない。
【先行技術文献】
【特許文献】
【０００３】
【特許文献１】英国特許出願公開第２１４８０９３号
【特許文献２】米国特許出願公開第２００２／１８４６９０号
【発明の概要】
【発明が解決しようとする課題】
【０００４】
本発明の目的は、上記の種類の衣服を提案することであり、ここで該衣服は、良好な断熱特性を提供すると共に、特にスポーツに適するものである。該衣服は、洗濯によって清潔に保つことが容易である必要があると共に、臭いに対して強い抵抗力を示す必要がある。
【課題を解決するための手段】
【０００５】
本発明によるこの目的の解決策は、プラスチック粒子が、熱可塑性ポリオレフィン、熱可塑性ポリウレタン、熱可塑性エラストマー、及び熱可塑性ポリアミドのグループの１つ以上の膨張性（発泡性）プラスチック材料から成ることによって特徴付けられ、その場合、３つの空間的方向におけるプラスチック粒子の延在部分は、１ｍｍと５ｍｍとの間にあり、プラスチック粒子の形状は、球状又は楕円体状であり、且つ袋部が、プラスチック粒子及び詰め物材料で充填される。
【０００６】
プラスチック粒子は、中空体として形作ることが可能である。
【０００７】
袋部は、好ましくは薄層状の（細片状の）デザインを有する。それによって、袋部の長さは、好ましくは５０ｍｍと２５０ｍｍとの間にある。袋部の幅は、好ましくは１０ｍｍと５０ｍｍとの間にある。衣服の外側で垂直な方向における袋部の最大の厚さは、好ましくは５ｍｍと３０ｍｍとの間にある。
【０００８】
本発明の好ましい実施形態によれば、複数の袋部が、互いに平行に配置される。この場合、袋部は、好ましくは互いに隣接して配置される。
【０００９】
衣服が地面に真直ぐに立つ着用者によって着用される場合、袋部の長手方向の延在部分は、実質的には水平方向に延在する、又は水平方向に対して１５°未満の角度で延在するというふうに、衣服において袋部を配置することが可能である。
【００１０】
基体は、好ましくは織物の基体である。
【００１１】
好ましくは、袋部の境界を定める外側層は透明であり、その結果として、プラスチック粒子は目に見える。
【００１２】
袋部は、２つの層を縫うことによって、編むことによって、又は織ることによって作ることが可能である。別の可能性は、２つの層の接合プロセス、具体的には熱接合プロセス、超音波接合プロセス、又は接着剤プロセスを実行することによって、袋部が作られるというものである。
【００１３】
実施形態では、詰め物材料が不織合成詰め物材料であることが提案される。
【００１４】
本発明の特別な実施形態によれば、衣服はベストであり、且つ、衣服が着用者によって着用される場合、少なくとも５つの隣接した袋部が、好ましくは少なくとも８つの隣接した袋部が、着用者の胃部（腹部）領域及び／又は胸部領域に配置されるが、その場合、袋部は上下に配置されている。この場合、好ましくは次のことが提供される。それは、少なくとも２つのグループの袋部、好ましくは４つのグループの袋部が配置され、これらのグループの袋部は、衣服が着用者によって着用される場合、鉛直線によって分離される、というものである。
【００１５】
更に、衣服はベストであり得、且つ、少なくとも３つの隣接する袋部の２つのグループが、左上方胸部領域及び右上方胸部領域に配置され、その場合、衣服が地面に真直ぐに立つ着用者によって着用される場合、袋部の長手方向の延在部分は、水平方向に対して１５°と４５°との間の角度に延在する。
【００１６】
特定の実施形態では、衣服はベストであり、且つ衣服は襟部を有するということが提供され、その場合、少なくとも１つの袋部、好ましくは２つの隣接した袋部が配置され、それらの袋部は、襟部の周りに円周方向にのびる。
【００１７】
好ましくは、衣服はベストであり、且つ衣服の裏側には袋部が無い。衣服の裏側に袋部が配置されることも、もちろん可能である。ベストなどの場合、それの腎臓部領域に、例えば断熱性の袋部を配置することが可能である。
【００１８】
また、言及されるべきことであるが、提案された解決策を、着用者の胴体を覆う衣服（腕の袖の有無にかかわらず）及びパンツ又はズボンなどの、種々の衣服に有利に使用することが可能である。
【００１９】
提案された衣服の中心的特徴の幾つかと、該衣服が言うことができる幾つかの付加的特徴を要約すると、以下のようになる。
【００２０】
衣服は、袋部の形に作成され、前記衣服上に配列され、且つ分布された二層の織物材料で（部分的にまたは完全に）構成される。前記袋部は、発泡性（膨張性）プラスチック粒子でバラバラに充填される。粒子は、目に見えることが好ましい。
【００２１】
好ましくは発泡性の（膨張性の）プラスチック粒子のための好ましい材料は、上で述べた通りである。
【００２２】
袋部は、（衣服が地面に真直ぐに立つ着用者によって着用される場合）、斜めの形勢までずっと、主として水平にあるであろう（過度の傾斜は、全てのプラスチック粒子を１つの領域に堆積させるであろう）。
【００２３】
プラスチック粒子は、袋部の中でバラバラに配置される。即ち、粒子は、互いに付着しない、又は接着されない。それ故に粒子は、袋部の中で自由に動くことができる。
【００２４】
プラスチック粒子は、袋部を作成するのに使用される殻材料（外側層）の好ましい半透明の性質のために、目に見えることが好ましい。したがって、殻材料は、半透明であることが好ましい。
【００２５】
プラスチック粒子は、透明、色合い、仕上げを含む種々の色において、袋部の中に配置することが可能である。プラスチック粒子は、種々の色のものが可能であり、且つ、袋部の中に充填する前に、前もって混合することが可能である。また、プラスチック粒子は、淡色に保つことが可能である。
【００２６】
プラスチック粒子の形状は、球状又は楕円体状であることが好ましい。別の可能な形状は、四角いものである。
【００２７】
手触りと断熱性を強化するために、種々の百分率で、プラスチック粒子を他の不織合成詰め物と混合することが可能である。
【００２８】
保温性を最適化するために、且つ、それ故に、着用者に熱的恩恵を提供するために、袋部を衣服に分布させることが可能である。袋部の分布は、既知である人体の熱マッピングに基づいており、且つ、衣服デザインを助けるであろう。
【００２９】
重要な恩恵として、提案されたプラスチック粒子は、（多くの）水を吸収せず、それ故に、洗濯した場合、綿毛と比較して、その後の形状に対する問題が無い。
【００３０】
また、プラスチック粒子は、臭いを吸収せず、且つ、それ故に、断熱性の衣服のための利点もある。
【００３１】
更なる恩恵として、プラスチック粒子は、綿毛とは違って、圧縮後に自身の形状を保つ。
【００３２】
更に、プラスチック粒子は、水又は汗を吸収しない。それ故に、プラスチック粒子は、乾くのがより早く、且つ、より高い度合いの持続可能性を有する。
【００３３】
最後に、プラスチック粒子は、同じ寸法の袋部の中の純粋な綿毛又は純粋なポリエステル詰め物と比較して、より高い断熱性に役立つ。
【００３４】
袋部にプラスチック粒子を充填することについては、帯電防止漏斗を装備できる半自動の綿毛充填機を使用することが可能である。
【００３５】
図面には、本発明の実施形態が示される。
【図面の簡単な説明】
【００３６】
【図１】ベストである一着の衣服を示す説明図
【図２】図１に従う断面Ａ−Ａを示す説明図
【発明を実施するための形態】
【００３７】
図１には、本事例においてベストである一着の衣服１が示されている。衣服１は、基本的に、着用者の身体の胴体を覆う織物の基体２を有する。衣服１の背面側（図示せず）は、上述の基体２だけから成るのに対して、複数の袋部５が、(図１で分かるように）衣服１の前面側に配置され、且つ、具体的には着用者の胃部／腹部領域及び胸部領域に沿って配置される（場所は、衣服１が意図された使用における場合の、位置を指している）。
【００３８】
袋部５のデザインは、図２に従う断面から明らかになる。基本的に、衣服１の前面に配置された全ての袋部５は、図２に示されたようなデザインを有する。
【００３９】
したがって、衣服１は、袋部５が配置されるそれらの領域において、内側層３及び外側層４を備える。付加的な特徴が図２から分かるように、その２つの層３及び層４を支持する付加的な支持層８を、好みに応じて設けることが可能である。
【００４０】
基本的に、２つの層３及び層４は、２つの場所で互いに接続されるが、それらの場所は、図２から分かるように、袋部５の幅Ｗによって画定される。袋部５は、図１から分かるように、実質的には薄層状の（細片状の）形状を有する。袋部の長さは、Ｌで表される。更に、図２から、袋部５が厚さＴを有することが分かる。衣服１の外側表面に垂直な方向において見られる袋部５の薄層状の形状のために、袋部５は、図１に表されるように、長手方向の延在部分Ｅを有する。
【００４１】
本実施形態において、袋部５は、充填材料６を形成するプラスチック粒子で充填される。
【００４２】
好ましくは、プラスチック粒子は、球形状又は楕円体形状を有し、且つ、図２から分かるように、２つの層３及び層４によって画定される小室を充填する。
【００４３】
図１から分かることであるが、着用者の胃部／腹部領域及び胸部領域において、衣服の意図された使用の間に見られるように、４つのグループ（即ちグループＩ、グループＩＩ、グループＩＩＩ、グループＩＶ）の袋部５が配置される。
【００４４】
各グループは複数の袋部５から成り、これら複数の袋部５は、鉛直方向Ｖに上下に配置される（ここで鉛直方向Ｖは、意図された使用の間に、衣服が着用者によって着用される場合、且つ着用者が地面に真直ぐに立つ場合の、方向に関連する）。
【００４５】
単一の袋部５は、長手方向の延在部分Ｅが、実質的には水平方向に向けられる、というふうに配置される。
【００４６】
グループＩは、単一の袋部５の境界を定める鉛直線ＬＶ１によって、グループＩＩＩから分割される。グループＩＩは、同様に単一の袋部５の境界を定める鉛直線ＬＶ２によって、グループＩＶから分割される。
【００４７】
上方胸部領域には、更なるグループの袋部５が配置され、その場合、今度は袋部５の長手方向の延在部分Ｅは、水平方向に対して約２０°の角度で配置される。
【００４８】
最後に、衣服１の上方端部に襟部７が配置され、襟部７にもまた、これの周りで円周方向にのびる袋部５を供給することが可能である。
【００４９】
提案されたデザインによって、衣服１は、良好な断熱特性を有し、且つ、使用されるプラスチック粒子が袋部５の充填材料であるため、臭いに関して感度が高くない。
【符号の説明】
【００５０】
１      衣服（スポーツ用衣服）
２      基体
３      内側層
４      外側層
５      袋部
６      充填材料
７      襟部
８      支持層
Ｌ      袋部の長さ
Ｗ      袋部の幅
Ｔ      袋部の厚さ
Ｅ      袋部の長手方向の延在部分
Ｖ      鉛直方向
ＬＶ１  鉛直線
ＬＶ２  鉛直線
Ｉ      袋部のグループ
ＩＩ    袋部のグループ
ＩＩＩ  袋部のグループ
ＩＶ    袋部のグループ
【手続補正２】
【補正対象書類名】特許請求の範囲
【補正対象項目名】全文
【補正方法】変更
【補正の内容】
【特許請求の範囲】
【請求項１】
衣服（１）、特にスポーツ用衣服であって、衣服（１）は、これの着用者の身体の一部を覆う基体（２）を備え、
前記基体（２）は、少なくとも二層の配置として少なくとも部分的にデザインされ、その場合、内側層（３）は、前記着用者の前記身体に面し、且つ外側層（４）は、前記衣服（１）の外側の境界を定め、
前記２つの層（３，４）は、充填材料（６）で充填される袋部（５）を形成し、
前記充填材料（６）は、前記袋部（５）の中でバラバラに配置される、少なくとも部分的にはプラスチック粒子である衣服（１）において、
前記プラスチック粒子は、熱可塑性ポリオレフィン、熱可塑性ポリウレタン、熱可塑性エラストマー、及び熱可塑性ポリアミドのグループの１つ以上の膨張性（発泡性）プラスチック材料から成り、
３つの空間的方向における前記プラスチック粒子の延在部分は、１ｍｍと５ｍｍとの間にあり、
前記プラスチック粒子の形状は、球状又は楕円体状であり、
前記袋部は、プラスチック粒子及び詰め物材料で充填される
ことを特徴とする衣服。
【請求項２】
前記プラスチック粒子は、中空体として形作られる
請求項１に記載の衣服。
【請求項３】
前記袋部（５）は、薄層状のデザインを有する
請求項１または２に記載の衣服。
【請求項４】
前記袋部（５）の長さ（Ｌ）は、５０ｍｍと２５０ｍｍとの間にある
請求項１ないし３のいずれかに記載の衣服。
【請求項５】
前記袋部（５）の幅（Ｗ）は、１０ｍｍと５０ｍｍとの間にある
請求項３または４に記載の衣服。
【請求項６】
前記衣服（１）の外側で垂直な方向における前記袋部の最大厚さ（Ｔ）は、５ｍｍと３０ｍｍとの間にある
請求項３ないし５のいずれかに記載の衣服。
【請求項７】
複数の袋部（５）が互いに平行に配置される
請求項３ないし６に記載の衣服。
【請求項８】
前記袋部（５）は互いに隣接して配置される
請求項７に記載の衣服。
【請求項９】
前記衣服が地面に真直ぐに立つ着用者によって着用される場合、前記袋部（５）の長手方向の延在部分（Ｅ）が、実質的に水平方向に延在するか、又は前記水平方向に対して１５°未満の角度で延在するというふうに、前記衣服において前記袋部（５）が配置される
請求項３ないし８のいずれかに記載の衣服。
【請求項１０】
前記基体（２）は織物の基体である
請求項１ないし９のいずれかに記載の衣服。
【請求項１１】
前記外側層（４）は、透明材料から作られる
請求項１ないし１０のいずれかに記載の衣服。
【請求項１２】
前記袋部（５）は、前記２つの層（３，４）を縫うことによって、編むことによって、又は織ることによって作られる
請求項１ないし１１のいずれかに記載の衣服。
【請求項１３】
前記袋部は、前記２つの層（３，４）の接合プロセス、具体的には熱接合プロセス、超音波接合プロセス、又は接着剤プロセスを実行することによって作られる
請求項１ないし１１のいずれかに記載の衣服。
【請求項１４】
前記詰め物材料は、不織合成詰め物材料である
請求項１ないし１３のいずれかに記載の衣服。
【請求項１５】
前記衣服はベストであり、且つ、前記衣服が着用者によって着用される場合、少なくとも５つの隣接する袋部（５）のグループ、好ましくは少なくとも８つの隣接する袋部（５）のグループが、前記着用者の胃部及び／又は胸部の領域に配置され、その場合、前記袋部（５）は、上下に配置される
請求項３ないし１４のいずれかに記載の衣服。
【請求項１６】
少なくとも２つのグループの袋部（５）、好ましくは４つのグループの袋部（５）が配置され、これらのグループの袋部（５）は、前記衣服が着用者によって着用される場合、鉛直線によって分離される
請求項１５に記載の衣服。
【請求項１７】
前記衣服はベストであり、且つ、少なくとも３つの隣接した袋部（５）の２つのグループは、左上方胸部領域及び右上方胸部領域に配置され、その場合、前記衣服（１）が地面に真直ぐに立つ着用者によって着用される場合、前記袋部（５）の長手方向の延在部分（Ｅ）は、前記水平方向に対して１５°と４５°との間の角度で延在する
請求項３ないし１６のいずれかに記載の衣服。
【請求項１８】
前記衣服はベストであり、且つ、前記衣服は襟部（７）を有し、その場合、少なくとも１つの、好ましくは２つの隣接した袋部（５）が配置され、これらの袋部（５）は前記襟部（７）の周りに円周方向にのびる
請求項３ないし１７のいずれかに記載の衣服。
【請求項１９】
前記衣服はベストであり、且つ、前記衣服の裏側には袋部（５）が無い
請求項１ないし１８のいずれかに記載の衣服。
【国際調査報告】
2020523494.tif 000005
2020523494.tif 000006